(57)【特許請求の範囲】
【請求項１】
被加熱物を載置するトッププレートと、
前記トッププレートの下方に配置し前記被加熱物を加熱する加熱コイルと、
前記加熱コイルに電力を供給するインバータ回路と、
前記トッププレートの下方に配置し前記被加熱物から放射される赤外線を検出するサーモパイルと該サーモパイルを搭載した光センサ基板とを設けた光センサユニットと、
該光センサユニットの出力信号に基づいて前記加熱コイルの火力を制御する制御手段と、
前記トッププレートの下方に配置し前記被加熱物から放射される赤外線を前記サーモパイルに導く筒状の光路と、を備え、
前記光路の内壁は黒色系で、前記光センサ基板の上面は前記光路の内壁より濃い黒色系の同系色にしたことを特徴とする誘導加熱調理器。
【発明の詳細な説明】
【技術分野】
【０００１】
本発明は、トッププレートの下方で赤外線を受光する誘導加熱調理器に関するものである。
【背景技術】
【０００２】
従来技術として特許文献１に開示されるような誘導加熱調理器がある。本体と、その本体の上方を覆うトッププレートと、トッププレート下方の本体内に設けられた加熱コイルと、この加熱コイルに電力を供給する高周波電力供給回路と、この高周波電力供給回路を制御する制御部とを備え、加熱コイルによりトッププレート上に配置した鍋等の被加熱物を誘導加熱する。被加熱物から発せられる赤外線を受光し、電気信号に変換するサーモパイルを用いて、被加熱物の温度を非接触で検出し本体を制御するものであります。そして、サーモパイルの微弱な出力信号を増幅する増幅回路を備え、サーモパイルと増幅回路を同一基板（プリント配線板）に搭載したものであります。
【先行技術文献】
【特許文献】
【０００３】
【特許文献１】特開２０１４-１７９２４６号公報
【発明の概要】
【発明が解決しようとする課題】
【０００４】
しかしながら、無色透明のトッププレートを使用した場合、特許文献１に開示された従来技術においては、トッププレート上方から光路を介して見た際に、サーモパイルを搭載した光センサ基板が見える位置にあって目立つので意匠性が悪くなるという、問題があった。
【０００５】
そこで本発明では、無色透明のトッププレートを使用した場合でも、トッププレート上方から光路を介して見た際に、サーモパイルを搭載した光センサ基板を目立ちにくくし、意匠性の良い誘導加熱調理器を提供することを目的とする。
【課題を解決するための手段】
【０００６】
本発明は上記課題を解決するためになされたものであり、被加熱物を載置するトッププレートと、前記トッププレートの下方に配置し前記被加熱物を加熱する加熱コイルと、前記加熱コイルに電力を供給するインバータ回路と、前記トッププレートの下方に配置し前記被加熱物から放射される赤外線を検出するサーモパイルと該サーモパイルを搭載した光センサ基板とを設けた光センサユニットと、該光センサユニットの出力信号に基づいて前記加熱コイルの火力を制御する制御手段と、前記トッププレートの下方配置し前記被加熱物から放射される赤外線を前記サーモパイルに導く筒状の光路と、を備え、前記光路の内壁は黒色系で、前記光センサ基板の上面は前記光路の内壁より濃い黒色系の同系色にしたものである。
【発明の効果】
【０００７】
本発明によれば、トッププレート上方から光路を介して見た際に、サーモパイルを搭載した光センサ基板を目立ちにくくし、意匠性を良くすることが出来る。
【図面の簡単な説明】
【０００８】
【図１】本発明の実施例を説明する誘導加熱調理器をシステムキッチンに組み込んだ状態の斜視図である。
【図２】本発明の実施例における誘導加熱調理器の斜視図である。
【図３】本発明の実施例における誘導加熱調理器の回路構成を説明するブロック図である。
【図４】本発明の実施例における被加熱物、トッププレート、加熱コイル、光路、光センサユニットの配置関係を示す図である。
【図５】本発明の実施例におけるトッププレート上方より光路を介して見える光センサ基板の外観図である。
【発明を実施するための形態】
【０００９】
以下、本発明の実施例を上記図面に従って説明する。
【００１０】
図１は、本発明実施例１を説明する誘導加熱調理器をシステムキッチンに組み込んだ状態の斜視図である。
【００１１】
図１において、１は、誘導加熱調理器の本体である。２は、本体１の上面を覆うトッププレートで、耐熱性の高い素材、例えば、結晶化ガラスやホウケイ酸ガラス等が用いられ、その上面には鍋等の被加熱物３００（図４）が載置される。
【００１２】
３は、トッププレート枠であり、トッププレート２の周囲の端部を覆うもので、該トッププレート２の間にはシール材が充填されており、これによりトッププレート枠３はトッププレート２に固着されている。そして、トッププレート２の上に液体がこぼれても、シール材により本体１内部への水の浸入が防止され水密構造が実現される。
【００１３】
また、トッププレート枠３は本体１にも固定されていて、本体１をシステムキッチン１３に組み込むときには、トッププレート枠３で本体１を吊り下げて設置される。
【００１４】
３３４、３３５，３３６は、鍋位置表示部であり、トッププレート２の上面に設けられ、鍋等の被加熱物３００の載置場所を表示している。
【００１５】
３２４、３２５、３２６は、加熱コイル（図３）で、トッププレート２に略水平になるように鍋位置表示部３３４、３３５、３３６の下方の本体１内に設けられており、加熱コイル３２４、３２５、３２６に高周波電流を印加して高周波磁界を発生させ、トッププレート２に載置された鍋等の被加熱物３００を誘導加熱する。
【００１６】
６は、グリル加熱手段であり、加熱コイル３２４、３２５、３２６の下方で本体１の左側または右側（本実施例では左側）の本体１前面部に設けられ、矩形状の箱体で構成されていて、中に入れられた被加熱物を加熱するシーズヒータ等の加熱手段を有している。
【００１７】
７は、グリル加熱手段６の扉で、とって７ａが設けられており、グリル加熱手段６の内部には扉７に伴って出し入れ可能な受け皿（図示せず）が収納されている。
【００１８】
８は、トッププレート枠３の後枠部に開口する吸気部であり、空気を取り入れる開口が設けられれば吸気部８は本体１の前面、下面、側面でもよい。吸気部８は後記するインバータ回路３０４，３０５，３０６（図３）や加熱コイル３２４、３２５、３２６等を冷却する空気を吸気する。
【００１９】
９は、トッププレート枠３の後枠部に開口する排気部であり、インバータ回路３０４，３０５，３０６や加熱コイル３２４、３２５、３２６等を冷却した空気やグリル加熱手段６からの排煙を排気する。そして、吸気部８、及び排気部９は、トッププレート２上にこぼした液体が開口部から吸気部８や排気部９内に落下しても本体１内部のインバータ回路３０４，３０５，３０６等に浸入しない構成となっている。
【００２０】
１０は、開閉収納式の前面操作部で、主にグリル加熱手段６を操作するものであり、本実施例ではグリル加熱手段６の隣に位置するように本体１の前面右側に設けられている。
【００２１】
また、前面操作部１０は、閉じているときに上部を本体１側に押すことによりロック装置（図示せず）が解除され、前面操作部１０の上部が前面側にバネと制御装置（図示せず）により前面側にゆっくりと回動して飛び出すようになっており、逆に閉じるときは上部を本体１側に向かって押し込むことにより本体１に収納され、ロック装置により保持される構成となっている。
【００２２】
なお、図１は前面操作部１０が開いている状態を示し、図２は前面操作部１０が閉じている状態を示す。
【００２３】
前面操作部１０の前面操作キー１０ａは、グリル加熱手段６のシーズヒータなどのヒータ３０２（図３）を入切する等の操作を行い、前面操作キー１０ａで操作した内容は前面表示部１０ｂで使用者に判り易く表示される。
【００２４】
１１は、電源切／入スイッチで、本体１前面に設けられ、本体１の主電源の入切を行う。
【００２５】
１２は、上面操作部で、トッププレート２の手前側に設けられており、夫々の加熱コイル３２４、３２５、３２６の出力等を調整する上面操作キー１２ａから構成されている。
【００２６】
図３は誘導加熱調理器の回路構成を説明するブロック図である。
【００２７】
図３において、３０１は、誘導加熱調理器に入力する商用の交流電源である。３０２は、グリル加熱手段６の内部に入れられた被加熱物を加熱するシーズヒータなどのヒータである。３０３は、シーズヒータなどのヒータ３０２の通電を制御するヒータ制御回路である。３０４、３０５、３０６は、夫々の加熱コイル３２４、３２５、３２６の通電を制御するインバータ回路である。
【００２８】
３０７は、マイクロコンピュータで構成された制御手段で、前面操作キー１０ａや、上面操作キー１２ａの操作信号を入力し、前面表示部１０ｂに表示信号を出力する。また、ヒータ３０２の通電を制御するヒータ制御回路３０３や、インバータ回路３０４、３０５、３０６に制御信号を出力して加熱コイル３２４、３２５、３２６に供給する電力を制御する。そして、光センサユニット２０からの出力信号に基づいて被加熱物３００の鍋底の温度を検知して、必要に応じてインバータ回路３０４、３０５、３０６から加熱コイル３２４、３２５、３２６に供給する電力を制御し、加熱コイル３２４、３２５、３２６の火力を制御することで被加熱物３００の温度を制御する。
【００２９】
３０８は、フィルタ回路を搭載したフィルタ手段であり、インバータ回路３０４、３０５、３０６より生じる雑音ノイズを抑制し、雑音ノイズが商用電源３０１に漏洩することを防ぐ。
【００３０】
２０は、サーモパイル２０ｂとサーモパイル２０ｂの出力信号を増幅する増幅回路２０ｃを搭載した光センサユニットであり、被加熱物３００から発せられる赤外線を受光することで被加熱物３００の温度を非接触で検知する。
【００３１】
図４は、左側の加熱コイル３２４の、被加熱物３００、トッププレート２、光路４０、光センサユニット２０の位置関係を示した図である。加熱コイル３２５、３２６についても同様の構造をとることものであり、加熱コイル３２４で説明する。
【００３２】
光センサユニット２０は加熱コイル３２４の下に配置され、例えば加熱コイル３２４を載置するコイルベース５０や、本体１内の構造体に固定するものでよい。
【００３３】
光センサユニット２０は、トッププレート２に載置された被加熱物３００から発せられる赤外線をトッププレート２の下方で、且つ光センサユニット２０の上方に設けた筒状の光路４０を介して受光する。
【００３４】
光路４０は、トッププフレート２の下方で、トッププレート２の下面に接触せずに近接させて設け、コイルベース５０または光センサユニット２０と一体でも、別体で設けてもよい。
【００３５】
図５はトッププレート２上方より見たときの光路４０越しに見える光センサ基板２０ａの外観図である。
【００３６】
光路４０の内壁４０ａは、黒色系である。例えば、コイルベース５０または光センサユニット２０の構造体で制作する場合に、黒色系の耐熱性樹脂などを用いることにより実現できる。
【００３７】
光センサユニット２０の光センサ基板２０ａの上面２０ｄは、光路４０の内壁４０ｄより濃い黒色系の同系色である。たとえば黒色のシルクで覆う等で実現できる。更には、光沢を抑えた艶消しなどであると、光の反射が無くて尚よい。
【００３８】
その理由として、筒状である光路４０の内壁４０ａは、トッププレート２の上面に略垂直にある。
【００３９】
よってトッププレート２から距離が離れるほど図で示す下部４０ｂは室内の光が当たりにくく、暗くなるだけでなく、トッププレート２の直ぐ下と比較して、トッププレート２の上方から見える角度がきつくなって、内壁４０ａはトッププレート２から距離が離れるほど下部４０ｂはより黒っぽく見えるものである。つまり、光路４０の内壁４０ａはトッププレート２から距離が離れ、光センサユニット２０の光センサ基板２０ａに近づく下部４０ｂほど、色が濃く黒っぽく見える。
【００４０】
対して光センサ基板２０ａの上面２０ｄは、トッププレート２の上面に対して正対しているため、室内の光が狭いながらも光路４０を介して当たる方向に面が向いている。そのため、上面２０ｄの色は光路４０を介して到達する室内の光で明るく、トッププレート２の上方から見える角度が略正対するため、色が暗くならない。
【００４１】
そこで、上面２０ｄは、光路４０の内壁４０ｄより濃い黒色系の同系色とすることで、トッププレート２の上方から、光路４０を介して、光センサ基板２０ａの上面２０ｄを見た際に、トッププレート２から距離が離れた光路４０の内壁４０ａの下部４０ｂの色に対して、光センサ基板２０ａの上面２０ｄが目立たなくなる。
【００４２】
以上の実施例によれば、トッププレート２上方から光路４０を介して見た際に、サーモパイル２０ｂを搭載した光センサ基板２０ａを目立ちにくくし、デザイン性を良くすることが出来る。
【００４３】
特にトッププレート２の下方に配置する加熱手段にラジエントヒータを使用しないで、全部の加熱手段に加熱コイルを使用することで使用出来る非結晶化ガラスからなる無色透明なホウケイ酸ガラスからなるトッププレート２を使用したときは、その効果は大きい。
【符号の説明】
【００４４】
１…本体、２…トッププレート、３…トッププレート枠、４０…光路、４０ａ…内壁、
２０…光センサユニット、２０ａ…光センサ基板、２０ｂ…サーモパイル、２０ｄ…上面、６…グリル加熱手段、１０…前面操作部、１１…電源切／入スイッチ、１２…上面表示部、３００…被加熱物、３０７…制御手段、３０８…フィルタ手段、３０２…ヒータ、３０３…ヒータ制御回路、３３４，３３５，３３６…鍋位置表示部、３２４，３２５，３２６…加熱コイル、３０４，３０５，３０６…インバータ回路
【図１】
0006258238.tif 000002
【図２】
0006258238.tif 000003
【図３】
0006258238.tif 000004
【図４】
0006258238.tif 000005
【図５】
0006258238.tif 000006